(57)【要約】【課題】動力機器を用いずに自然空冷方式のみで施設内を換気するにあたって空気中に含まれている塩分を低減する。【解決手段】被収容物を収容する建屋２を自然通風で換気するにあたって建屋２の外の空気を建屋２の内に取り入れるダクト６と、水を溜めるトレイ７とを備え、ダクト６は建屋の外から流入してきた空気をトレイ７に溜められた水の水面に案内するようにしている。【選択図】図２
2007155314.tif 000002
【特許請求の範囲】
【請求項１】
被収容物を収容する収容室を自然通風で換気するにあたって前記収容室の外の空気を前記収容室の内に取り入れるダクトと、水を溜めるトレイとを備え、前記ダクトは前記収容室の外から流入してきた空気を前記トレイに溜められた水の水面に案内することを特徴とする空気処理装置。
【請求項２】
前記ダクトは前記収容室の外から流入してきた前記空気を前記水面に向けて下降させる形状に形成されていることを特徴とする請求項１記載の空気処理装置。
【請求項３】
前記水面に間隔を空けて対向配置された壁面に突起を設けたことを特徴とする請求項１または２記載の空気処理装置。
【請求項４】
前記トレイに雨水を供給することを特徴とする請求項１〜３のいずれか１つに記載の空気処理装置。
【請求項５】
前記トレイに溜められている水が予め定められた水位を下回ったときに前記トレイに水道水を供給することを特徴とする請求項４記載の空気処理装置。
【請求項６】
前記被収容物は使用済核燃料であることを特徴とする請求項１から５のいずれか１つに記載の空気処理装置。
【請求項７】
被収容物を収容する収容室の外の空気を水に接触させてから前記収容室の奥に導くことを特徴とする空気処理方法。
【請求項８】
前記被収容物は使用済核燃料であることを特徴とする請求項７記載の空気処理方法。
【発明の詳細な説明】
【技術分野】
【０００１】
本発明は、空気に含まれている塩分を除去する空気処理装置及び方法に関する。さらに詳述すると、本発明は、例えば使用済み核燃料が収容されている収容室を自然通風で換気するにあたって収容室内に取り入れる空気に含まれている塩分を除去する際に用いて好適な空気処理装置及び方法に関する。
【背景技術】
【０００２】
一般的に原子炉の使用済み核燃料を貯蔵し、使用済み核燃料の除熱を行なう施設では、施設内に置かれた使用済み核燃料を入れた容器から放出される熱による浮力を利用した自然空冷方式が採用されている。しかし、自然通風で施設内を換気する自然空冷方式の場合、空気中に塩分が含まれていると、その塩分が使用済み核燃料を密封しているキャニスタと呼ばれる金属容器の表面に付着し、ＳＣＣと呼ばれる応力腐食割れを引き起こす虞がある。ＳＣＣの発生を防止するためには、キャニスタ表面に付着する塩分濃度がＳＣＣの発生に対する限界の表面付着塩分濃度を超えないようにする必要がある。
【０００３】
施設内への塩分の流入を防止するための技術としては、エアーフィルタを用いて微細粉塵を除去する技術（特許文献１）や外気に含まれる塩分粒子をフィルタで除去して送風機で給気を行なう技術（特許文献２）が知られている。
【特許文献１】特開平６−１８２１２７号
【特許文献２】特開平７−３１０９３８号
【発明の開示】
【発明が解決しようとする課題】
【０００４】
しかしながら、特許文献１及び２の技術では、フィルタを介して外気を取り込むようにしているので圧力損失が大きく、施設内に冷風を送るには送風機等の動力機器が必要になるといった問題が生じる。また、特許文献２の技術では送風機を用いて給気を行なう強制空冷方式を採用しているが、自然空冷方式に比べて設備コストが大きくなるとともに送風機が止まった場合の安全性が保証できないといった問題が生じる。また、フィルタや送風機を用いるとメンテナンスが面倒であり、メンテナンスにかかるコストが大きくなってしまうといった問題が生じる。
【０００５】
そこで本発明は、動力機器を用いずに自然空冷方式のみで施設内を換気するにあたってスムーズに換気することができ、空気中に含まれている塩分を低減することができる空気処理装置及び方法を提供することを目的とする。また、本発明は、ランニングコストを削減することができ、メンテナンスを容易に行なうことができる空気処理装置及び方法を提供することを別の目的とする。
【課題を解決するための手段】
【０００６】
かかる目的を達成するために、請求項１記載の発明にかかる空気処理装置は、被収容物を収容する収容室を自然通風で換気するにあたって前記収容室の外の空気を前記収容室の内に取り入れるダクトと、水を溜めるトレイとを備え、前記ダクトは前記収容室の外から流入してきた空気を前記トレイに溜められた水の水面に案内するようにしている。
【０００７】
したがって、ダクトに流入してきた空気がトレイに溜められている水に接触すると、潮解現象によって空気中の塩分が水に溶解する。これにより塩分が低減された空気によって収容室内が換気される。
【０００８】
また、請求項２記載の発明は、請求項１記載の空気処理装置において、ダクトは収容室の外から流入してきた空気を水面に向けて下降させる形状に形成されているようにしている。この場合、収容室の外側からダクトに流入してくる空気が確実に水面に接触するようになるので、より一層多くの塩分が水に溶解する。
【０００９】
また、請求項３記載の発明は、請求項項１または２記載の空気処理装置において、水面に間隔を空けて対向配置された壁面に突起を設けるようにしている。この場合、空気の流れが突起によって折り曲げられる。これにより空気が水に接触する機会が増え、より一層多くの塩分が水に溶解する。
【００１０】
また、請求項４記載の発明は、請求項１〜３のいずれか１つに記載の空気処理装置において、トレイに雨水を供給するようにしている。この場合、トレイの中に雨水が流れ込み、トレイの中の塩分を含んだ水はトレイから流出する。これによりトレイの水は常に塩分を溶解することができる状態に保持される。
【００１１】
また、請求項５記載の発明は、請求項４記載の空気処理装置において、トレイに溜められている水が予め定められた水位を下回ったことを契機にトレイに水道水を供給するようにしている。この場合、雨の降らない日が続いて雨水をトレイに供給することができない場合であっても塩分を溶解するために用いられる水をトレイの中に常に満たしておくことができる。
【００１２】
さらに、請求項６記載の発明は、請求項１から５に記載の空気処理装置において、被収容物は使用済核燃料であるようにしている。この場合、使用済核燃料をキャニスタに入れて貯蔵する施設において自然通風で施設内を換気する場合の施設内に取り込む空気に含まれる塩分が除去される。
【００１３】
また、請求項７記載の発明にかかる空気処理方法は、被収容物を収容する収容室の外の空気を水に接触させてから収容室の奥に導くようにしている。この場合、収容室に取り込まれる空気が水に接触すると、潮解現象によって空気中の塩分が水に溶解する。これにより塩分が低減された空気によって収容室内が換気される。
【００１４】
さらに、請求項８記載の発明は、請求項７記載の空気処理方法において、被収容物は使用済核燃料であるようにしている。この場合、使用済核燃料をキャニスタに入れて貯蔵する施設において自然通風で施設内を換気する場合の施設内に取り込む空気に含まれる塩分が除去される。
【発明の効果】
【００１５】
請求項１記載の空気処理装置および請求項７記載の空気処理方法によれば、自然通風によって収容室内が換気される際に空気中の塩分が水に捕捉されて収容室内に持ち込まれない。したがって、例えば収容室内に設置されている金属製の機器などにおける錆の発生を防止することができる。また、構造が簡素であるので、ランニングコストを大幅に削減することができる。また、構造が簡素であるので、メンテナンス作業が容易になる。さらに、収容室内に流入してくる空気の流れが遮られないので、圧力損失を大幅に小さくすることができる。
【００１６】
また、請求項２記載の発明の場合、収容室の外からダクトに流入してくる空気が確実に水溜まりの水面に接触するようになるので、より一層多くの塩分を水に溶解させることができる。
【００１７】
また、請求項３記載の発明の場合、空気が水に接触する機会が増え、より一層多くの塩分が水に溶解する。
【００１８】
また、請求項４記載の発明の場合、空気中の塩分を溶解するために用いられる溶媒となる水をコストを掛けずに得ることができる。
【００１９】
また、請求項５記載の発明の場合、晴天が続いて雨水をトレイに供給することができない場合であっても塩分を溶解するために用いられる水をトレイの中に常に満たした状態にすることができる。
【００２０】
請求項６記載の空気処理装置および請求項８記載の空気処理方法によれば、使用済核燃料をキャニスタに入れて貯蔵する施設において自然通風で施設内を換気する場合の施設内に取り込む空気に含まれる塩分が除去されるので、金属容器であるキャニスタのＳＣＣの発生を防止することができる。
【発明を実施するための最良の形態】
【００２１】
以下、本発明の構成を図面に示す最良の形態に基づいて詳細に説明する。
【００２２】
図１及び図２に本発明の空気処理装置の第一の実施形態を示す。この実施形態の空気処理装置１は、キャニスタとキャスク３の二重容器に格納された使用済み核燃料を収容する収容室（一般に建屋と呼ばれている。以下、建屋と呼ぶ。）２を自然通風で換気するにあたって外気取り入れ口４の付近に設置されて空気中の塩分を除去するものである。同空気処理装置１は、建屋２の外の空気を建屋２の内に取り入れるダクト６と、水を溜めるトレイ７とを備え、ダクト６は建屋の外から流入してきた空気をトレイ７に溜められた水の水面に案内するようにしている。なお、以下、建屋２の外を「屋外」と称し、建屋２の内を「屋内」と称する。
【００２３】
建屋２には屋外の空気を屋内に取り入れる外気取り入れ口４と排気口５とが備えられ、キャスク３から放出される熱によって温められた空気が上昇気流を発生させて屋内の空気を屋外に排出するように構成されている。空気処理装置１は建屋２の内側に設けられており、外気取り入れ口４に取り付けられている。排気口５から温かい空気が排出されると、この空気と入れ替わるようにして屋外の空気が外気取り入れ口４から空気処理装置１を介して屋内に流入する。このように建屋２は外気取り入れ口４と排気口５によって自然通風で換気が行なわれるように構成されている。
【００２４】
空気処理装置１は屋外の空気を屋内に取り入れるダクト６と、水を溜めるトレイ７とを備えている。ダクト６は鉛直方向に積み重ねられた隔壁によって複数の空間に仕切られており、複数の入口６ａと複数の出口６ｂを有している。出口６ｂはダクト６の軸方向に沿って階段状にずれて配置され、トレイ７の中に溜まる水が順次上の段から下の段へ溢流するように設けられている。
【００２５】
ダクト６は屋外から外気取り入れ口４を介して流入してきた空気をトレイ７に案内する複数の案内部８と、トレイ７を有する複数の塩分回収部９とから構成されている。塩分回収部９は空気の中に含まれている塩分を回収するものであり、案内部８に連続して形成されている。塩分回収部９のそれぞれにはトレイ７が一体形成されている。本明細書におけるトレイ７とは、塩分回収部９の水を溜めておくことが可能な箇所を示す。トレイ７は水が溜められた際にその水溜まり１０の水面とこの水面に対向する塩分回収部９の上壁面との間にある程度の間隔が空くように形成されている。トレイ７の先端部は出口６ｂからダクト６の軸方向に沿って屋内の奥側に向かって突出している。また、トレイ７は上方から水が流れ落ちてきた際にその水を受け入れ易くするように階段状に積み重ねられるように形成されている。
【００２６】
トレイ７に水が溜められた際に水溜まり１０の水面と対向する塩分回収部９の上壁面には、取り込まれた空気の流れを水溜まり１０へ向かわせる力を発生させる障壁１１が設けられている。この障壁１１は、例えば断面半球状の突条であり、塩分回収部９の上壁面に塩分回収部９を横切る方向、即ち空気の流れ方向と直交する方向に長い突起によって構成されている。また、障壁１１は塩分回収部９の上壁面にダクト６の軸方向に沿って複数配置されている。さらに、障壁１１はトレイ７に水が満杯に溜められた際にその水溜まり１０に接触しないように形成されている。
【００２７】
案内部８は屋外から外気取り入れ口４及び入口６ａを介して流入してきた空気をトレイ７に案内するものである。案内部８はダクト６の各入口６ａと外気取り入れ口４とが連通するように外気取り入れ口４の縁に取り付けられている。屋外の空気が外気取り入れ口４及び入口６ａを介して案内部８に流入してくると、その空気はトレイ７上に導かれる。また、案内部８は屋外から外気取り入れ口４及び入口６ａを介して流入してきた空気をトレイ７上に向けて下降させるように屈曲した形状に形成されている。つまり、案内部８には屋外から外気取り入れ口４及び入口６ａを介して流入してきた空気を下降気流にしてトレイ７上に導く下り傾斜部１２が形成されている。したがって、トレイ７に水が溜められた際には、屋外から外気取り入れ口４及び入口６ａを介して案内部８に流入してきた空気はトレイ７の水溜まり１０の水面に衝突するようになる。
【００２８】
建屋２の屋根１３には雨水を屋内に取り入れるための孔１３ａが形成されている。この孔１３ａは雨水通路１４を介して建屋２の内部に連通している。屋根１３を伝う雨水は孔１３ａに流入し、雨水通路１４を通ってダクト６の上面に導かれる。ダクト６の上面にはダクト６の軸方向に沿って長溝（図示省略）が形成されている。この長溝はダクト６の最上段のトレイ７に向かって形成されている。したがって、雨水通路１４の排水口１４ａから流れ落ちてくる雨水は長溝に流れ込み、この長溝によってダクト６の最上段のトレイ７に導かれる。この最上段のトレイ７でオーバーフローした雨水はその１つ下のトレイ７に流れ込む。各トレイ７でオーバーフローした雨水は順次に下段のトレイ７に流れ込む。最下段のトレイ７からオーバーフローした雨水はダクト６の下方に設置されている排水管１５に流れ込み、排水口１６から屋外に排出される。
【００２９】
ダクト６の最上段のトレイ７には水位計１７が設置されている。雨が降らずにトレイ７に溜められている水の水位が蒸発などによって予め定められた水位を下回った際には、これを水位計１７が検知し、この検知結果を受けてソレノイド（図示省略）がオンされる。ソレノイドがオンされると水道のバルブ１８が開かれ、最上段のトレイ７に水道水が供給される。したがって、トレイ７は雨水の有無に関わらず常に水が満たされた状態になっている。
【００３０】
以上のように構成された空気処理装置１においては、屋外の空気が案内部８に流入すると、その空気はトレイ７の水溜まり１０の水面に向かって導かれる。屋外から案内部８に流入してきた空気は下り傾斜部１２でトレイ７の水溜まり１０の水面に向かって下降し、やがて水面に衝突する。このようにして空気が水溜まり１０に接触すると、空気中に塩分が含まれている場合にはその塩分が潮解現象によって水溜まり１０に溶解する。また、案内部８から塩分回収部９に空気が流入すると、障壁１１によって空気の流れが折り曲げられる。これによって空気が水溜まり１０の水面に衝突する機会が増え、より一層多くの塩分を水溜まり１０に溶解させることができる。また、ダクト６を隔壁で仕切って、屋外からダクト６に流入してきた空気を複数のトレイ７上に導くような構造になっているので、屋外からダクト６に流入してきた空気がトレイ７に溜められた水に接触する面積を大きくすることができ、これにより屋外からダクト６に流入してきた空気に含まれている塩分を効率的に捕捉することができる。さらに、塩分回収部９を通過した空気が出口６ｂから出るときに出口６ｂを覆うようにしてトレイ７に流れ落ちてくる水に接触するので、ここでも潮解現象を利用して空気中の塩分を溶解させることができる。このように屋内を自然通風で換気するにあたって空気処理装置１を用いることにより、屋外から屋内に流入する空気の流れを遮ることなく、その空気中に含まれている塩分を大幅に低減することができる。したがって、屋内を自然通風で十分に換気することができる。また、屋内に置かれている金属性の機器の錆の発生を抑えることができる。また、構造が簡素であるのでランニングコストを大幅に削減することができる。また、構造が簡素であるのでメンテナンス作業が容易になる。
【００３１】
本発明の空気処理装置１は、キャスク３を収容する建屋２に備えられるばかりではなく、キャスク３が露天で貯蔵される場合にはキャスク３に直接装備させるようにしても良い。この第二の実施形態を図３に示す。なお、第一の実施形態と同一の構成部材については同一の符号を付し、その説明は省略する。
【００３２】
図３に示すように、キャスク３は使用済み核燃料１９を密封する金属容器であるキャニスタ２０を収容し、このキャニスタ２０を自然空冷で除熱するものである。キャスク３は、キャスク３の有底円筒状の本体部２１と、この本体部２１の内側に形成されている中空部２２の開口２２ａを塞ぐ蓋２３とから構成されている。キャスク３はキャスク３の外側の空気をキャスク３の内側に取り入れる外気取り入れ口２４と、本体部２１の内部に収容されるキャニスタ２０の発熱によって温められ、上昇した空気をキャスク３の外側に排出する排気口２５とを備えている。外気取り入れ口２４は階段状に屈曲している通路２６を介して中空部２２に連通している。中空部２２を形成している内壁面２７の底２７ａには複数の台座２８が固定されている。キャニスタ２０は開口２２ａから中空部２２に入れられ、本体部２１の内壁面２７とキャニスタ２０の外壁面２９との間に隙間が形成されるように台座２８の上に載置される。開口２２ａが蓋２３で塞がれると、蓋２３の内側面２３ａとキャニスタ２０の外壁面２９との間に隙間が形成され、蓋２３の内側面２３ａと本体部２１の上面２１ａとの間に複数の通路３０が形成される。この通路３０は階段状に屈曲しており、排気口２５と中空部２２とを連通している。空気処理装置１は外気取り入れ口２４と出口６ｂとが対向し、且つ出口６ｂが外気取り入れ口２４に近接するように配置されている。空気処理装置１は支持部材３１を介して例えばキャスク３の外壁面や地面などに固定されている。なお、図３に示す実施形態ではトレイ７には水道水が供給されるものとする。
【００３３】
キャスク３内の空気はキャニスタ２０から放出される熱によって温められ、上昇気流となってキャニスタ２０の上部の排気口２５から排出される。排気口２５から温かい空気が排出されると、この空気と入れ替わるようにしてキャスク３の外の空気が空気処理装置１と外気取り入れ口２４を介してキャスク３内に流入してくる。
【００３４】
キャスク３の外側の空気が案内部８に流入すると、その空気はトレイ７の水溜まり１０の水面に向かって導かれる。キャスク３の外側から案内部８に流入してきた空気は下り傾斜部１２でトレイ７の水溜まり１０の水面に向かって下降し、やがて水面に衝突する。このようにして空気が水溜まり１０に接触すると、空気中に塩分が含まれている場合にはその塩分が潮解現象によって水溜まり１０に溶解する。また、案内部８から塩分回収部９に空気が流入すると、障壁１１によって空気の流れが折り曲げられる。これによって空気が水面に衝突する機会が増え、より一層多くの塩分を水溜まり１０に溶解させることができる。さらに、塩分回収部９を通過した空気が出口６ｂから出るときに各トレイ７に流れ落ちてくる水に接触するので、ここでも潮解現象を利用して空気中の塩分を溶解させることができる。
【００３５】
このようにキャスク３内を自然通風で換気するにあたって空気処理装置１を用いることにより、キャスク３の外側から内側に流入する空気の流れを遮ることなく、その空気中に含まれている塩分を大幅に低減することができる。したがって、キャスク３内を自然通風で十分に換気することができる。また、キャニスタ２０に塩分が付着することによって引き起こされるＳＣＣを抑止することができる。また、動力を必要とせず、かつ構造が簡素であるので設備コスト並びにランニングコストを大幅に削減することができる。また、構造が簡素であるのでメンテナンス作業が容易になる。
【００３６】
なお、上述の形態は本発明の好適な形態の一例ではあるがこれに限定されるものではなく本発明の要旨を逸脱しない範囲において種々変形実施可能である。例えば上述した実施形態では、使用済み核燃料を収容する施設の例としてキャスク３を収容する建屋２の例を挙げて説明したが、ボールト貯蔵施設のような自然通風による冷却方式を採用する他の施設にも適用できることは言うまでもない。さらに、本発明の空気処理装置は、上述した実施形態でとりあげた原子力関係の施設に限られず、例えば沿岸地域に立地すると共に外気を取り入れて換気を行う施設であって施設内の設備や保存物にとって外気中の塩分が有害でそれを除去する必要がある場合に広く適用することができる。
【００３７】
また、上述した実施形態では、ダクト６を隔壁で仕切って複数の入口６ａと複数の出口６ｂを備え、さらに複数のトレイ７を備えるようにしたが、ダクト６を仕切らずに空気処理装置１を１本のダクト６と１つのトレイ７で構成しても良い。
【００３８】
また、上述した実施形態では、ダクト６内にトレイ７を形成するようにしたが、ダクト６とトレイ７とを別体に形成しても良い。この場合、トレイ７の上方の空間が開放されていると、導入外気と水との接触が十分に行なわれる前に屋内に拡散するので、トレイ７の上方に覆いを設けておくことが好ましい。そして、ダクト６の出口６ｂから出る空気がトレイ７の水溜まり１０に衝突するようにダクト６の出口６ｂ付近にトレイ７を配置すれば良い。また、ダクト６の形状は、ダクト６に流入した空気がトレイ７の水溜まり１０の水面に向けて下降するように形成されていることが好ましい。これにより空気中に塩分が含まれている場合にはより一層多くの塩分を溶解することができる。また、トレイ７の水溜まり１０の水面にある程度の間隔を空けて対向する壁面を設け、この壁面にダクト６の出口６ｂから出た空気の流れを水溜まり１０の水面に向けて変化させる障壁１１を設けることが好ましい。これによりダクト６の出口６ｂから出た空気が水面に接触しやすくなり、空気中に塩分が含まれている場合にはより一層多くの塩分を水に溶解させることが可能となる。
【００３９】
また、上述した実施形態ではトレイ７からオーバーフローした水を排水管１５によって屋外に排水するようにしたが、そのオーバーフローした水をポンプなどで循環させてトレイ７に再度供給するようにしても良い。
【００４０】
また、上述した第一の実施形態では空気処理装置１を屋内に設置するようにしたが、図４に示すように、建屋２の外壁に空気処理装置１を取り付けても良い。この第三の実施形態の場合、ダクト６が屋外に晒されるので、雨水通路１４を設けなくても雨樋からの雨水をトレイ７に直接供給することができる。
【００４１】
さらに、図５に示すように、建屋２の外側に空気処理装置１を設けるようにしても良い。この第四の実施形態の場合には、ダクト６の出口６ｂと外気取り入れ口４との位置を合わせて空気処理装置１が設置される。そして、この第四の実施形態の場合も、ダクト６の各入口６ａから空気処理装置１に流入した屋外の空気はトレイ７の水溜まり１０の水面に向かって導かれ、空気が水溜まり１０に接触すると空気中の塩分が潮解現象によって水溜まり１０に溶解する。さらに、屋外の空気が各入口６ａから流入するときに各入口６ａを覆うようにしてトレイ７に流れ落ちてくる水に接触するので、ここでも潮解現象を利用して空気中の塩分を溶解させることができる。
【００４２】
なお、第四の実施形態では、下り傾斜部１２を設けない構成としている。このように、本発明の空気処理装置１においては、下り傾斜部１２を設けない構成とした場合も、ダクト６の各入口６ａから流入した空気の流れを障壁１１によって折り曲げて水溜まり１０の水面に衝突させ、水溜まり１０に塩分を溶解させることができる。
【００４３】
また、上述した第一の実施形態では建屋２に対して空気処理装置１を用いた例を挙げて説明し、第二の実施形態ではキャスク３に対して空気処理装置１を用いた例を挙げて説明したが、空気処理装置１を備えるキャスク３を収容する建屋２に対して空気処理装置１を備えるようにしても良い。これにより建屋２に対して備えた空気処理装置１で捕捉しきれなかった塩分をキャスク３に対して備えた空気処理装置１で捕捉することができるので、キャニスタに付着する塩分の量をより一層低減することができる。
【００４４】
また、上述した実施形態では、ダクト６に流入してきた空気をトレイ７の水溜まり１０に接触させ、潮解現象を利用して空気中の塩分を溶解するようにしたが、ダクト６に流入してきた空気をミスト状の水に接触させることによって塩分を溶解するようにしても良い。この場合、図５に示すように、ダクト６の内部に噴霧器３２を設置する。そして、噴霧器３２を用いてダクト６の中で水を常時噴霧する。ダクト６に流入してきた空気に含まれている塩分は噴霧器３２によって噴霧されている水に接触すると潮解現象によって溶解する。噴霧される水としては、雨水を利用しても良いし、水道水であっても良い。このように空気処理装置１は、屋内あるいはキャスク３の内部を自然通風で換気するにあたってダクト６に流入してきた空気を水に接触させ、潮解現象を利用して塩分を低減させる構造になっていれば良く、その形態は適宜に変更可能である。
【図面の簡単な説明】
【００４５】
【図１】本発明の空気処理装置とキャスクが建屋の中に設置されているときの態様（第一の実施形態）を示す縦断面図である。
【図２】第一の実施形態の空気処理装置の概略構造を示す側面視縦断面図である。
【図３】第二の実施形態を示す空気処理装置とキャスクの縦断面図である。
【図４】空気処理装置を建屋の外壁に取り付けたときの態様（第三の実施形態）を示す側面視縦断面図である。
【図５】空気処理装置を建屋の外側に設置したときの態様（第四の実施形態）を示す側面視縦断面図である。
【図６】空気処理装置の別の実施形態の概略構造を示す側面視縦断面図である。
【符号の説明】
【００４６】
１  空気処理装置
２  建屋
３  キャスク
４、２４  外気取り入れ口
５  排気口
６  ダクト
７  トレイ
８  案内部
９  塩分回収部
１０  水溜まり
１１  突起
１２  下り傾斜部
２０  キャニスタ
３２  噴霧器
【図１】
2007155314.tif 000003
【図２】
2007155314.tif 000004
【図３】
2007155314.tif 000005
【図４】
2007155314.tif 000006
【図５】
2007155314.tif 000007
【図６】
2007155314.tif 000008